(57)【要約】  【課題】  飛出し防止用端子を、カード用コネクタの単独部品ではなく、他の部品の形状によって形成させ、部品点数を減少させると共に飛出し防止用端子を組み込むための製造工程を減少させ、より安価にしかも容易に製造可能とさせたカード用コネクタの提供。  【解決手段】  カードＣを挿入可能な形状からなり、一端がカードＣが挿入されるカード挿入口４を形成し、カード挿入口４と対向する他端には挿入されるカードＣと電気的に接続可能なコンタクト部３が形成され、挿入されるカードＣの両端をガイドするガイドレール６がカード挿入口４及びコンタクト部３の両端間に対向して設けられ、対向するガイドレール６間の少なくとも挿入されるカードＣの一方面と対向して補強壁５を設け、補強壁５の一部には飛出し防止用突出部１３が挿入されるカードＣと接するように形成されてカードＣに対して摩擦抵抗を与える。【選択図】  図１
2005276645.tif 000002
【特許請求の範囲】
【請求項１】
カードを挿入可能な形状からなり、一端にはカードが挿入されるカード挿入口を形成し、他端には挿入されるカードと電気的に接続可能なコンタクト部が形成され、挿入されるカードの両端をガイドするガイドレールが設けられ、挿入されるカード表面に対向して補強壁が設けられるカード用コネクタにおいて、
補強壁の一部には飛出し防止用突出部が挿入されるカードと接するように形成されてカードに対して摩擦抵抗を与えることを特徴とするカード用コネクタ。
【請求項２】
カードを挿入可能な形状からなり、一端にはカードが挿入されるカード挿入口を形成し、他端には挿入されるカードと電気的に接続可能なコンタクト部が形成され、挿入されるカードの両端をガイドするガイドレールが設けられ、挿入されるカード表面に対向して補強壁が設けられるカード用コネクタにおいて、
補強壁の一部には飛出し防止用突出部が挿入されるカードと接するように形成され、飛出し防止用突出部のコンタクト部側或はカード挿入口側の少なくも一方側には、飛出し防止用突出部のばね力を調整すべくばね力調整孔が穿設され、且つ、飛出し防止用突出部のばね力調整孔側端部はカード挿入される方向に対して角度を持って形成されることを特徴とするカード用コネクタ。
【発明の詳細な説明】
【技術分野】
【０００１】
この発明は、コンパクトフラッシュ（登録商標）カード（以後ＣＦカードという。）やＰＣカード等のカードをＣＦカードドライブやＰＣカードドライブ等のドライブに挿入したときに、カードのインターフェースとして用いるカード用コネクタに関する。
【背景技術】
【０００２】
従来、一般に用いられているカード用コネクタは、カードを使用する装置内に設置されて用いられ、ＣＦカード等のカードを挿入する挿入口から挿入口と対向するコンタクト部までの両側部に、断面視コ字状からなるガイドレールをコ字状開口部が対向するように設け、該ガイドレールのコ字状開口部に使用するＣＦカード等のカードの左右側部を挿入し最奥部までＣＦカードを挿入して挿入口対向面に設けたコンタクト部とＣＦカードのコンタクト部とを電気的に接続して用いていた。
即ち、詳細には、図５（ａ）（ｂ）に表すように、従来のカード用コネクタ１００は、その一端にＰＣカードであるカードＣを挿入される挿入口１０１をスリット状に開口し、挿入口１０１の対向側端縁にはカードＣに設けたコンタクト部と電気的に接続されるコンタクト部１０２を設けてある。コンタクト部１０２には、カードＣのコンタクト部に設けた孔に挿入されるコンタクトピン（図示せず）が複数挿入口１０１側へ突設されている。
又、カード用コネクタ１００のスリット状挿入口１０１の両端とコンタクト部１０２の両端間には、図５（ｂ）にその端面を表す断面視コ字状からなるガイドレールを、夫々コ字状開口部が対向するように設けてある。そして、カードＣは、挿入口１０１から挿入されてガイドレール１０３、１０３間で支持されてコンタクト部１０２側へコンタクト部１０２とカードＣのコンタクト部とが嵌合するまで挿入され、コンタクト部１０２とカードＣとが電気的に接続される。
コンタクト部１０２側には、カードＣの上面及び下面に対向するように補強フレーム１０７を設けて補強し、カード用コネクタ１００全体の形状を維持するよう形成している。
又、一度挿入されてカードＣをイジェクトするためのイジェクト機構１０４が組み込まれており、イジェクトバー１０５をコンタクト部１０２側へ押圧すると、中央部を揺動自在にコンタクト部１０２側に支持されたイジェクトレバー１０６が揺動し、イジェクトレバー１０６の先端がカードＣを挿入口１０１側へ押圧してカードＣとコンタクト部１０２との嵌合を解除させる。
そして、カードＣをイジェクトして取出す際に、カード用コネクタ１００へ挿入されたカードＣが抵抗無く保持されていると、イジェクトバー１０５を押圧してイジェクトレバー１０６で押し出された際に、カードＣが勢い余って挿入口１０１から飛び出してしまう虞があるため、従来では、ガイドレール１０３に挿入されるカードＣの側面に当接してカードＣ挿入或は排出時にカードＣの移動に対して抵抗を与える飛出し防止用端子１０８を設けていた。
飛出し防止用端子１０８は、相互に対向してガイドレール１０３、１０３に設置固定され、カードＣの両端を挟持する方向にばね力が働き、カードＣに対して適当な抵抗を与え取出し時の飛出しを防止していた。
【発明の開示】
【発明が解決しようとする課題】
【０００３】
しかしながら、従来のカード用コネクタでは、カード取出し時にカードの飛出しを防止していた飛出し防止用端子は、カード用コネクタの一つの部品として組み込まれて形成され、しかも、適当なばね力を自身が作り出さなければならないという問題点を有していた。
【０００４】
該問題点は、カード用コネクタを製造するに当り、部品点数が増加してしまうと共に、飛出し防止用端子を組み込むための製造工程が増えてしまうので、安価にしかも容易に製造する妨げとなってしまう問題点を有した。
【課題を解決するための手段】
【０００５】
そこでこの発明は、
カードを挿入可能な形状からなり、一端がカードが挿入されるカード挿入口を形成し、カード挿入口と対向する他端には挿入されるカードと電気的に接続可能なコンタクト部が形成され、挿入されるカードの両端をガイドするガイドレールがカード挿入口及びコンタクト部の両端間に対向して設けられ、対向するガイドレール間の少なくとも挿入されるカードの一方面と対向して補強壁が設けられるカード用コネクタにおいて、補強壁の一部には飛出し防止用突出部が挿入されるカードと接するように形成されてカードに対して摩擦抵抗を与えることを特徴とするカード用コネクタ、
【０００６】
を提供する。該カード用コネクタでは、カードがカード挿入口から挿入されたカードを排出する際に、飛出し防止用突出部がカードと接して適度な摩擦を与えるので、カードが勢い余って飛び出さない。
【０００７】
又、この発明が提供する、
カードを挿入可能な形状からなり、一端がカードが挿入されるカード挿入口を形成し、カード挿入口と対向する他端には挿入されるカードと電気的に接続可能なコンタクト部が形成され、挿入されるカードの両端をガイドするガイドレールがカード挿入口及びコンタクト部の両端間に対向して設けられ、対向するガイドレール間の少なくとも挿入されるカードの一方面と対向して補強壁が設けられるカード用コネクタにおいて、補強壁の一部には飛出し防止用突出部が挿入されるカードと接するように形成され、飛出し防止用突出部のコンタクト部側或はカード挿入口側の少なくも一方側には、飛出し防止用突出部のばね力を調整すべくばね力調整孔が穿設され、且つ、飛出し防止用突出部のばね力調整孔側端部はカード挿入される方向に対して角度を持って形成されることを特徴とするカード用コネクタ、
【０００８】
では、飛出し防止用突出部の前後即ちカード挿入口側或はコンタクト部側の何れか或は両方にばね力調整孔を適宜幅に設けることで、飛出し防止用突出部の摩擦抵抗を所望の抵抗とし、又、飛出し防止用突出部の端部をカードを挿入或は排出する方向と交差方向に設けてカードと接触するようにする。
【発明の効果】
【０００９】
従って、この発明によれば、第１にカード挿入或は排出時にカードに対して適宜抵抗を与える飛出し防止用突出部がカード用コネクタに設けられる補強壁と一体成形にて形成可能なので、別途飛出し防止用突出部を形成してカード用コネクタに組み込むという手間を掛けずにカード用コネクタを製造可能となる。
又、飛出し防止用突出部のカード挿入口側或はコンタクト部側の何れか或は両方に形成するばね力調整孔を適宜大きさとすることで、飛出し防止用突出部が挿入される或は排出されるカードに与える摩擦抵抗を所望抵抗にすることが可能となり、イジェクト時のカードの飛出しを防止できると共に挿入時の挿入感及び排出時の排出感を適宜与えることが可能となる。
更に又、飛出し防止用突出部のばね力調整孔側端部をカードの挿入排出方向と交差方向にすることで、例えば、挿入されるカードがＣＦカードの場合には、ＣＦカードの挿入口側端部に存在する僅かな突起が飛出し防止用突出部と線接触によって引っ掛かってしまうことを防止可能である。
【発明を実施するための最良の形態】
【００１０】
カード用コネクタに設ける飛出し防止用突出部のばね力を調整するばね力調整孔は、飛出し防止用突出部のコンタクト部側にカードの挿入方向に対し横方向に長孔として穿設する。これにより飛出し防止用突出部がカードに与える摩擦力は、穿設したばね力調整孔の飛出し防止用突出部が接する辺が長くなり比較的弱い力を与える。又、飛出し防止用突出部のばね力調整孔側端はＶ字状に形成する。
【実施例１】
【００１１】
以下にこの発明の実施例を図面に基づき説明する。図１はこの発明の実施例を説明する正面説明図であり、図２は同底面説明図であり、図３は図１のＡ−Ａ線中央縦断面説明図であり、図４はこの発明の実施例で用いるＣＦカードの説明図である。
【００１２】
カード用コネクタ１は、ＣＦカード用のコネクタであり、挿入されたＣＦカードＣのコンタクト部と電気的に接続されて情報交換可能とするためのインターフェース部を形成する。カード用コネクタ１は、この実施の形態では、ＣＦカードＣを例に説明するが、ＣＦカード以外にもＰＣカードやＳＤメモリカードやスマートメディア（登録商標）等他のカードを用いるカード用コネクタでもよい。
【００１３】
カード用コネクタ１は、ハウジング２が基端部を構成し、ハウジング２内には挿入されたＣＦカードＣのコンタクト部と嵌合して電気的に接続させるコンタクト部３を設ける。又、コンタクト部３はＣＦカードＣのコンタクト部と接続される横長形状であり、接続される接続ピン３１が複数突設されている。又、ハウジング２のコンタクト部３と対向側にはカード挿入口４がＣＦカードＣの形状に合わせてスリット状に形成される。従ってハウジング２は、カード挿入口４を形成するように一端にコンタクト部３が内設固定され、挿入されたＣＦカードＣの上下面に対向して補強壁５を形成する。
【００１４】
更にハウジング２には、図２中左右に表すように、コ字状の開口部が夫々対向するように、上下の補強壁及びハウジング２側部によってガイドレール部６を形成する。
上記のようにハウジング２を形成することで、ＣＦカードＣは両端をガイドレール部６によって両端をガイドされながら挿入可能となる。
【００１５】
８はイジェクト装置である。イジェクト装置８は、カード挿入口４側に突出して設けるイジェクトボタン９と、コンタクト部３側に設け中央部がハウジング２に揺動自在に固定される揺動可能なイジェクトプレート１０と、イジェクトボタン９及びイジェクトプレート１０を連結しイジェクトボタン９が押圧されることでイジェクトプレート１０を揺動させるイジェクトレバー１１とからなる。イジェクトボタン９は、図１に表すように、ハウジング２の外方側部、即ち図１中の左側に設け、ＣＦカードＣが挿入される方向であるコンタクト部３側へ押圧可能である。イジェクトレバー１１は、一端がイジェクトボタン９に係止され他端が、ハウジング２の外側に位置されたイジェクトプレート１０の一端と係止される。イジェクトプレート１０は、図１に表すようにハウジング２の外側に位置された一端と対向する他端がハウジング２内に位置可能に折曲されハウジング２内に位置される。このように形成するイジェクト装置８は、ＣＦカードＣが挿入された状態でイジェクトボタン９を押圧されると、イジェクトボタン９の移動がイジェクトレバー１１を移動させ、イジェクトレバー１１と係止するイジェクトプレート１０を揺動させることとなる。そして、イジェクトプレート１０が揺動すると、自由端側がＣＦカードＣの挿入側端部を押圧してＣＦカードＣを挿入口側へ移動させる。
【００１６】
１２は、ばね力調整孔である。ばね力調整孔１２は、図１及び図３に表すように一方の補強壁５に、挿入方向と直交するよう補強壁５を貫通する長孔状に穿設する。更に補強壁５のＦＣカードＣと対向する面には、ばね力調整孔１２の挿入口４側位置に飛出し防止用突出部１３を設ける。飛出し防止用突出部１３は、ハウジング２に挿入されるＣＦカードＣの表面に接触して摩擦抵抗が生じるように設ける。飛出し防止用突出部１３は、ばね力調整孔１２の縁部に設けることで、ばね力調整孔１２によって補強壁５の撓みを容易に生ずることが可能となる。従って、飛出し防止用突出部１３が挿入時或は排出時にＣＦカードＣに与える摩擦抵抗は、設計時に補強壁５の材料及び厚さ等の条件から突出量とばね力調整孔１２とによって適宜調整することが可能である。
【００１７】
又、飛出し防止用突出部１３のばね力調整孔１２側の端縁部１４は、図１に表すようにＶ字状に切欠して設ける。この端縁部１４は、ＣＦカードやＰＣカード等のカードには挿入側縁部が僅かに突出しているものがあるので、カードＣをイジェクト装置８によってイジェクトする際に、カードＣの挿入側縁部が飛出し防止用突出部１３に引っ掛かってスムースにイジェクトできなくなることを防止する。
【００１８】
例えば、ＣＦカードＣには、ＣＦカードＣの挿入側縁部Ｃ１とカード上面Ｃ２との間に僅か０．１ｍｍ程度の段差を持った形状のものが存在する。このようなＣＦカードＣに対して、飛出し防止用突出部１３の端縁部１４がＶ字状に形成されておらずばね力調整孔１２の縁部に沿って挿入方向に直交する直線状に設けてある場合には、イジェクト時に挿入側縁部Ｃ１の段差が端縁部１４と平行な線状なので、飛出し防止用突出部１３と挿入側縁部Ｃ１とが線接触することとなり引っ掛かってしまう場合がある。このような飛出し防止用突出部１３と挿入側縁部Ｃ１との引っかかりを無くすためには、挿入側縁部Ｃ１を端縁部１４とが線接触するのではなく、点接触させることで解決できるのでこの実施例では端縁部１４をＶ字状に形成している。尚、端縁部１４の形状はＶではなく、挿入方向に対して角度を持たせて形成すれば足りるので、例えばばね力調整孔１２をＣＦカードＣの挿入方向に対して角度を持たせて形成することで角度をもたせても良く、更には端縁部１４をＵ字状や他の形状に形成して点接触となるようにしても良く、特にＶ字状に形成しなければならないものではない。
【産業上の利用可能性】
【００１９】
上述のように形成するカード用コネクタは、パーソナルコンピュータやその周辺機器にＣＦカード等のカード型記憶媒体を利用可能な製品に組み込んで用いることが可能であるばかりでなく、ディジタルカメラや家電製品等でＣＦカード等のカード型記憶媒体を用いるあらゆる製品に組み込んで用いることができる。
【図面の簡単な説明】
【００２０】
【図１】この発明の実施例を説明する正面説明図
【図２】同底面説明図
【図３】図１のＡ−Ａ線中央縦断面説明図
【図４】この発明の実施例で用いるＣＦカードの説明図
【図５】従来例を表す説明図
【符号の説明】
【００２１】
Ｃ    カード
Ｃ１  挿入側縁部
Ｃ２  カード上面
１    カード用コネクタ
２    ハウジング
３    コンタクト部
４    カード挿入口
５    補強壁
６    ガイドレール部
８    イジェクト装置
９    イジェクトボタン
１０  イジェクトプレート
１１  イジェクトレバー
１２  ばね力調整孔
１３  飛出し防止用突出部
１４  端縁部
【図１】
2005276645.tif 000003
【図２】
2005276645.tif 000004
【図３】
2005276645.tif 000005
【図４】
2005276645.tif 000006
【図５】
2005276645.tif 000007